【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
情報処理装置と、前記情報処理装置から送信された画像データに基づき画像を記録媒体に印刷する印刷装置とを含む印刷システムであって、
前記印刷装置は、
記録媒体の種類に応じた色補正を画像データに行うためのパラメータと、前記記録媒体の種類とを対応付けて格納する格納手段と、
前記情報処理装置から画像データの印刷に用いる記録媒体の種類を示す情報を受信する受信手段と、
前記受信手段が受信した前記情報に基づき、前記情報が示す前記記録媒体の種類に対応付けられた前記パラメータが前記格納手段に格納されているか否かを判定する判定手段と、
前記判定手段により前記パラメータが前記格納手段に格納されていると判定された場合に、前記パラメータを前記情報処理装置に送信する第１送信手段と、
前記受信手段が受信した前記情報に対応する画像データに基づき画像を印刷する印刷手段と、を備え、
前記情報処理装置は、
前記印刷装置から受信した前記パラメータを用いて画像データに対して前記色補正を行う色補正手段と、
前記色補正手段により前記色補正が行われた画像データを前記印刷装置に送信する第２送信手段と、を備え、
前記受信手段はさらに、前記情報処理装置から前記色補正が行われた画像データを受信し、
前記印刷手段は、前記受信手段が受信した前記色補正が行われた画像データに基づき画像を印刷する、
ことを特徴とする印刷システム。
【請求項２】
前記印刷装置は、
前記判定手段により前記パラメータが前記格納手段に格納されていないと判定された場合に、テストパターンデータを前記印刷装置に送信するように前記情報処理装置に要求する要求手段、をさらに備え、
前記印刷手段はさらに、前記情報処理装置から受信した前記テストパターンデータに基づきテストパターンを印刷し、
前記第１送信手段はさらに、前記テストパターンを測色して得た測色データを前記情報処理装置に送信し、
前記情報処理装置は、
画像データと前記印刷装置から受信した前記測色データとに基づき、前記パラメータを特定する特定手段、をさらに備え、
前記第２送信手段はさらに、前記要求手段による要求に応じて、前記印刷装置に前記テストパターンデータを送信し、
前記色補正手段は、前記特定手段により特定された前記パラメータを用いて画像データに対して前記色補正を行う、
ことを特徴とする請求項１に記載の印刷システム。
【請求項３】
前記要求手段はさらに、前記特定手段により特定された前記パラメータを前記印刷装置に送信するように前記情報処理装置に要求し、
前記第２送信手段はさらに、前記要求手段による前記パラメータの要求に応じて、前記印刷装置に前記特定手段により特定された前記パラメータを送信し、
前記格納手段は、前記情報処理装置から受信した、前記特定手段により特定された前記パラメータを前記記録媒体の種類と対応付けて格納する、
ことを特徴とする請求項２に記載の印刷システム。
【請求項４】
前記受信手段は、前記記録媒体の種類を示す情報とともに前記情報処理装置が使用するソフトウェアのバージョン情報を受信する、ことを特徴とする請求項３に記載の印刷システム。
【請求項５】
前記判定手段は、前記情報処理装置から受信した前記情報処理装置が使用するソフトウェアのバージョン情報が示すバージョンと前記パラメータに対応する前記ソフトウェアのバージョンとが一致した場合に、前記パラメータが前記格納手段に格納されていると判定する、ことを特徴とする請求項４に記載の印刷システム。
【請求項６】
前記情報処理装置が使用するソフトウェアのバージョン情報が示すバージョンが、前記パラメータに対応する前記ソフトウェアのバージョンより新しい場合、前記印刷装置は、前記パラメータを前記格納手段から削除し、
前記要求手段は、前記テストパターンデータを前記印刷装置に送信するように前記情報処理装置に要求する、ことを特徴とする請求項４又は５に記載の印刷システム。
【請求項７】
前記要求手段は、前記情報処理装置が使用するソフトウェアのバージョン情報が示すバージョンが、前記パラメータに対応する前記ソフトウェアのバージョンより新しい場合、前記特定手段により特定された前記パラメータを前記印刷装置に送信するように前記情報処理装置に要求する、ことを特徴とする請求項４乃至６のいずれか１項に記載の印刷システム。
【請求項８】
前記受信手段は、前記情報を含むジョブデータを受信し、
前記印刷装置は、
前記受信手段が受信した前記ジョブデータが前記測色要求を有するデータであるかを判定する第２判定手段、をさらに備え、
前記判定手段は、前記第２判定手段により前記ジョブデータが前記測色要求を有するデータでないと判定された場合、前記受信手段が受信した前記情報に基づき、前記情報が示す前記記録媒体の種類に対応付けられた前記パラメータが前記格納手段に格納されているか否かを判定する、
ことを特徴とする請求項１乃至７のいずれか１項に記載の印刷システム。
【請求項９】
情報処理装置と、記録媒体の種類に応じた色補正を画像データに行うためのパラメータと前記記録媒体の種類とを対応付けて格納する格納手段を有し前記情報処理装置から送信された画像データに基づき画像を前記記録媒体に印刷する印刷装置と、を含む印刷システムにおいて実行される印刷方法であって、
前記情報処理装置が、画像データの印刷に用いる記録媒体の種類を示す情報を前記印刷装置に送信する情報送信工程と、
前記印刷装置が、前記情報処理装置から前記画像データの印刷に用いる記録媒体の種類を示す情報を受信する受信工程と、
前記印刷装置が、前記情報処理装置から受信した前記情報に基づき、前記情報が示す前記記録媒体の種類に対応付けられた前記パラメータが前記格納手段に格納されているか否かを判定する判定工程と、
前記印刷装置が、前記判定工程において前記パラメータが前記格納手段に格納されていると判定された場合に、前記パラメータを前記情報処理装置に送信するパラメータ送信工程と、
前記情報処理装置が、前記印刷装置から受信した前記パラメータを用いて画像データに対して前記色補正を行う色補正工程と、
前記情報処理装置が、前記色補正工程において前記色補正が行われた画像データを前記印刷装置に送信する画像データ送信工程と、
前記印刷装置が、前記情報処理装置から受信した前記色補正が行われた画像データに基づき画像を印刷する印刷工程と
を有することを特徴とする印刷方法。
【請求項１０】
前記情報送信工程では、前記情報を含むジョブデータを送信し、
前記印刷装置が、前記情報処理装置から受信した前記ジョブデータが前記測色要求を有するデータであるかを判定する第２判定工程、をさらに有し、
前記判定工程では、前記第２判定工程において前記ジョブデータが前記測色要求を有するデータでないと判定された場合、前記情報処理装置から受信した前記情報に基づき、前記情報が示す前記記録媒体の種類に対応付けられた前記パラメータが前記格納手段に格納されているか否かを判定する、
ことを特徴とする請求項９に記載の印刷方法。
【請求項１１】
情報処理装置から送信された画像データに基づき画像を記録媒体に印刷する印刷装置であって、
前記記録媒体の種類に応じた色補正を画像データに行うためのパラメータと、前記記録媒体の種類とを対応付けて格納する格納手段と、
前記情報処理装置から画像データの印刷に用いる記録媒体の種類を示す情報を受信する受信手段と、
前記受信手段が受信した前記情報に基づき、前記情報が示す前記記録媒体の種類に対応付けられた前記パラメータが前記格納手段に格納されているか否かを判定する判定手段と、
前記判定手段により前記パラメータが前記格納手段に格納されていると判定された場合に、前記パラメータを前記情報処理装置に送信する送信手段と、
前記受信手段が受信した前記情報に対応する画像データに基づき画像を印刷する印刷手段と、を備え、
前記受信手段はさらに、前記情報処理装置から前記色補正が行われた画像データを受信し、
前記印刷手段は、前記受信手段が受信した前記色補正が行われた画像データに基づき画像を印刷することを特徴とする印刷装置。
【請求項１２】
前記受信手段は、前記情報を含むジョブデータを受信し、
前記受信手段が受信した前記ジョブデータが前記測色要求を有するデータであるかを判定する第２判定手段をさらに備え、
前記判定手段は、前記第２判定手段により前記ジョブデータが前記測色要求を有するデータでないと判定された場合、前記受信手段が受信した前記情報に基づき、前記情報が示す前記記録媒体の種類に対応付けられた前記パラメータが前記格納手段に格納されているか否かを判定する、ことを特徴とする請求項１１に記載の印刷装置。
【請求項１３】
記録媒体の種類に応じた色補正を画像データに行うためのパラメータと前記記録媒体の種類とを対応付けて格納する格納手段を有し、情報処理装置から送信された画像データに基づき画像を記録媒体に印刷する印刷装置において実行される印刷方法であって、
前記情報処理装置から画像データの印刷に用いる記録媒体の種類を示す情報を受信する受信工程と、
前記受信工程において受信した前記情報に基づき、前記情報が示す前記記録媒体の種類に対応付けられた前記パラメータが前記格納手段に格納されているか否かを判定する判定工程と、
前記判定工程において前記パラメータが前記格納手段に格納されていると判定された場合に、前記パラメータを前記情報処理装置に送信する送信工程と、
前記情報処理装置から受信した前記色補正が行われた画像データに基づき画像を印刷する印刷工程と、
を有することを特徴とする印刷方法。
【請求項１４】
請求項１３に記載の印刷方法の各工程をコンピュータに実行させるためのプログラム。
【手続補正２】
【補正対象書類名】明細書
【補正対象項目名】０００８
【補正方法】変更
【補正の内容】
【０００８】
上記課題を解決するため、本発明に係る印刷システムは、情報処理装置と、前記情報処理装置から送信された画像データに基づき画像を記録媒体に印刷する印刷装置とを含む印刷システムであって、前記印刷装置は、記録媒体の種類に応じた色補正を画像データに行うためのパラメータと、前記記録媒体の種類とを対応付けて格納する格納手段と、前記情報処理装置から画像データの印刷に用いる記録媒体の種類を示す情報を受信する受信手段と、前記受信手段が受信した前記情報に基づき、前記情報が示す前記記録媒体の種類に対応付けられた前記パラメータが前記格納手段に格納されているか否かを判定する判定手段と、前記判定手段により前記パラメータが前記格納手段に格納されていると判定された場合に、前記パラメータを前記情報処理装置に送信する第１送信手段と、前記受信手段が受信した前記情報に対応する画像データに基づき画像を印刷する印刷手段と、を備え、前記情報処理装置は、前記印刷装置から受信した前記パラメータを用いて画像データに対して前記色補正を行う色補正手段と、前記色補正手段により前記色補正が行われた画像データを前記印刷装置に送信する第２送信手段と、を備え、前記受信手段はさらに、前記情報処理装置から前記色補正が行われた画像データを受信し、前記印刷手段は、前記受信手段が受信した前記色補正が行われた画像データに基づき画像を印刷する、ことを特徴とする。